(57)【要約】【課題】リストバンドを装着しなくても施設内において撮影を希望する入場者を対象として自動的に撮影を行い、その撮影画像を入場者に提供すること。【解決手段】テーマパーク等の施設内の複数台のカメラ２−１〜２−ｎによって撮影を行ってその撮影画像データから顔部位の第１の特徴情報を抽出し、これら撮影画像データと顔部位の第１の特徴情報とを施設内サーバ８の第１の記憶装置８ａに保存し、施設の出口において、施設から退場しようとする来場者をカメラ５によって撮影してその撮影画像データから顔部位の第２の特徴情報を抽出し、パーソナルコンピュータ４によって第２の特徴情報をＬＡＮ９を通して施設内サーバ８に送信し、施設内サーバ８からＬＡＮ９を通して返送されてくる第２の特徴情報に関連する例えば各撮影画像データ１１ａ−１〜１１ａ−３を受け取り、これら撮影画像データ１１ａ−１〜１１ａ−３をプリンタ７によって印刷出力する。【選択図】      図１
2009278534.tif 000002
【特許請求の範囲】
【請求項１】
施設内に設置され、前記施設内に入場している被写体を撮影する第１の撮影部と、
前記第１の撮影部の撮影により取得された少なくとも画像データを保存する第１の画像保存部と、
前記施設から退場する前記被写体に係る少なくとも前記画像データを前記画像保存部から抽出し、前記施設から退場する前記被写体に対して前記抽出された前記画像データを提供する画像提供部と、
を具備することを特徴とする施設内フォトシステム。
【請求項２】
前記第１の撮影部は、前記被検体の特定部位を検出して前記被検体の撮影を行い、当該撮影により取得された前記画像データから前記特定部位の第１の特徴情報を抽出することを特徴とする請求項１記載の施設内フォトシステム。
【請求項３】
前記第１の撮影部は、前記被検体の前記特定部位として顔部位を検出することを特徴とする請求項２記載の施設内フォトシステム。
【請求項４】
前記第１の撮影部は、任意の時間毎に撮影を行うことを特徴とする請求項１記載の施設内フォトシステム。
【請求項５】
前記第１の画像保存部は、前記撮影部から前記画像データと前記第１の特徴情報とを受け取り、前記画像データと前記第１の特徴情報とを関連付けて保存することを特徴とする請求項２記載の施設内フォトシステム。
【請求項６】
前記画像提供部は、前記施設から退場する前記被写体の特定部位を照合し、前記特定部位に基づいて前記施設から退場する前記被写体に前記画像データを提供することを特徴とする請求項１記載の施設内フォトシステム。
【請求項７】
前記画像提供部は、前記被検体の前記特定部位として顔部位を検出することを特徴とする請求項６記載の施設内フォトシステム。
【請求項８】
前記第１の画像保存部は、前記画像提供部により照合された前記被検体の前記特定部位の第２の特徴情報を受け取り、当該第２の特徴情報に一致する前記第１の特徴情報に関連付けられている前記画像データを抽出することを特徴とする請求項６記載の施設内フォトシステム。
【請求項９】
前記画像提供部は、前記施設から退場する前記被写体を撮影し、当該撮影により取得された前記画像データから前記特定部位の前記第２の特徴情報を抽出する第２の撮影部を有することを特徴とする請求項８記載の施設内フォトシステム。
【請求項１０】
前記画像提供部は、課金を受けると、前記画像データを前記被写体に提供することを特徴とする請求項１記載の施設内フォトシステム。
【請求項１１】
前記画像提供部は、前記画像データを印刷して前記被写体に提供することを特徴とする請求項１０記載の施設内フォトシステム。
【請求項１２】
前記第１の撮影部と前記第１の画像保存部と前記画像提供部とは、互いにネットワークを介してデータの送受信可能に接続されていることを特徴とする請求項１記載の施設内フォトシステム。
【請求項１３】
前記第１の撮影部は、前記施設から退場する前記被写体を撮影する複数の撮影装置を有し、
前記第１の画像保存部は、少なくとも前記画像データと前記被写体における特定部位の第１の特徴情報とを関連付けて保存するサーバを有し、
前記画像提供部は、前記施設から退場する前記被写体を撮影する第２の撮影部と、課金を受ける課金受付機と、前記画像データを印刷するプリンタと、前記第２の撮影部の撮影により取得された前記画像データから抽出された前記特定部位の前記第２の特徴情報と前記第１の特徴情報とに基づいて前記画像保存部から前記施設から退場する前記被写体に係る少なくとも前記画像データを抽出し、当該画像データを前記プリンタによって印刷出力するコンピュータとを有する、
ことを特徴とする請求項１２記載の施設内フォトシステム。
【請求項１４】
前記施設外に設けられ、前記被写体に係る前記画像データを前記第１の画像保存部から抽出し、当該抽出された画像データを前記被写体に提供するための施設外画像提供部、
を備えたことを特徴とする請求項１記載の施設内フォトシステム。
【請求項１５】
前記施設外画像提供部は、前記第１の画像保存部から抽出した前記画像データと前記被写体を認識するための認識情報とを関連付けて保存する第２の画像保存部を有することを特徴とする請求項１４記載の施設内フォトシステム。
【請求項１６】
前記第２の画像保存部は、前記施設外の外部回線を介して前記被検体の端末装置に接続され、
前記端末装置は、前記認識情報に基づいて前記第２の画像保存部に保存されている前記画像データを抽出可能である、
ことを特徴とする請求項１５記載の施設内フォトシステム。
【請求項１７】
前記第２の画像保存部は、課金を受けると、前記画像データを前記被写体に提供することを特徴とする請求項１５記載の施設内フォトシステム。
【請求項１８】
前記第２の画像保存部は、前記課金を受ける前に、前記画像データを縮小した縮小画像データを前記被写体に提供することを特徴とする請求項１７記載の施設内フォトシステム。
【請求項１９】
前記第２の画像保存部は、少なくとも前記画像データと前記被写体を認識するための認識情報とを関連付けて保存する外部サーバを有し、
前記端末装置は、前記外部サーバに対して前記施設外の前記外部回線を介して接続され、課金を受けると、前記認識情報に基づいて前記外部サーバに保存されている前記画像データを抽出可能である、
ことを特徴とする請求項１６記載の施設内フォトシステム。
【請求項２０】
施設内に設置された撮影部の撮影によって取得された被写体の画像データを保存し、かつ前記施設から退場する前記被写体に対して前記画像データを提供する施設内フォトシステムの外部から前記画像データを抽出する施設外フォト抽出システムにおいて、
前記施設内フォトシステム外に設けられ、前記施設内フォトシステムから抽出した前記画像データと前記被写体を認識するための認識情報とを関連付けて保存する画像保存部と、
前記画像保存部に対して前記施設外の外部回線を介して接続され、前記認識情報に基づいて前記画像保存部に保存されている前記画像データを抽出する端末装置と、
を具備することを特徴とする施設外フォト抽出システム。
【請求項２１】
前記端末装置から前記施設内フォトシステムに課金を行うと、前記端末装置は、前記認識情報に基づいて前記画像保存部に保存されている前記画像データを抽出可能とすることを特徴とする請求項２０記載の施設外フォト抽出システム。
【請求項２２】
前記画像保存部は、前記課金を受ける前に、前記画像データを縮小した縮小画像データを前記端末装置に送信することを特徴とする請求項２０記載の施設外フォト抽出システム。
【請求項２３】
前記画像保存部は、少なくとも前記画像データを保存する外部サーバを有することを特徴とする請求項２０記載の施設外フォト抽出システム。
【発明の詳細な説明】
【技術分野】
【０００１】
本発明は、例えばテーマパーク等のような敷地内に遊戯機を備えた施設内において撮影を希望する入場者を対象として自動的に撮影を行い、この撮影により取得された画像を入場者に提供する施設内フォトシステム、及びこの施設内フォトシステムにより取得された画像を施設外で提供するための施設外フォト抽出システムに関する。
【背景技術】
【０００２】
例えばテーマパーク等のような施設内の入場者への写真の提供には、例えば次のような方法がある。その一つの方法は、テーマパークの主催者が例えばインスタントカメラを用いてキャラクタと入場者とを一緒に撮影する方法であり、他の方法は、例えばジェットコースター等に乗車している入場者を自動的に撮影し、ジェットコースター等の降車時に自動的に撮影した画像を印刷して入場者に提供する方法である。
【０００３】
一方、テーマパーク等のような施設内の入場者に写真を提供する技術としては、例えば特許文献１がある。この特許文献１は、テーマパーク内において入場者に対して当該入場者個人を特定するための識別番号を記載したリストバンドを装着させ、テーマパーク内に設置されているカメラがリストバンドからの信号に反応して撮影を行い、この撮影により取得した撮影画像をネットワークを通してサーバ上に識別番号と共に保存し、入場者は、帰宅後、自宅のパーソナルコンピュータから識別番号を入力することによりサーバから撮影画像をダウンロードすることを開示する。
【特許文献１】特開２００３−１４３３５０号公報
【発明の開示】
【発明が解決しようとする課題】
【０００４】
しかしながら、特許文献１は、自動的に入場者を撮影するために、入場者に対してリストバンドを装着させなければならず、このリストバンドを装着しなければ、入場者の撮影画像を取得することができなかった。又、特許文献１は、サーバから撮影画像をダウンロードするときに自宅のパーソナルコンピュータから識別番号を入力しなければならないので、以前テーマパークに入場して撮影したときの撮影画像と今回テーマパークに入場して撮影したときの撮影画像とを同時に取得したい場合、入場者は、以前テーマパークに入場して取得した識別番号を覚えていなければならず、識別番号を忘れた場合には撮影画像を取得できない。
【０００５】
本発明の目的は、リストバンドを装着しなくても施設内において撮影を希望する入場者を対象として自動的に撮影を行い、その撮影画像を入場者に提供できる施設内フォトシステム及び施設外フォト抽出システムを提供することにある。
【課題を解決するための手段】
【０００６】
本発明の主要な局面に係る施設内フォトシステムは、施設内に設置され、施設内に入場している被写体を撮影する第１の撮影部と、第１の撮影部の撮影により取得された少なくとも画像データを保存する第１の画像保存部と、施設から退場する被写体に係る少なくとも画像データを画像保存部から抽出し、施設から退場する被写体に対して抽出された画像データを提供する画像提供部とを具備する。
【０００７】
本発明の主要な局面に係る施設外フォト抽出システムは、施設内に設置された撮影部の撮影によって取得された被写体の画像データを保存し、かつ施設から退場する被写体に対して画像データを提供する施設内フォトシステムの外部から画像データを抽出するもので、施設内フォトシステム外に設けられ、施設内フォトシステムから抽出した画像データと被写体を認識するための認識情報とを関連付けて保存する画像保存部と、画像保存部に対して施設外の外部回線を介して接続され、認識情報に基づいて画像保存部に保存されている画像データを抽出する端末装置とを具備する。
【発明の効果】
【０００８】
本発明によれば、リストバンドを装着しなくても施設内において撮影を希望する入場者を対象として自動的に撮影を行い、その撮影画像を入場者に提供できる施設内フォトシステム及び施設外フォト抽出システムを提供できる。
【発明を実施するための最良の形態】
【０００９】
以下、本発明の第１の実施の形態について図面を参照して説明する。  
図１はテーマパーク等の施設内フォトシステムの構成図を示す。テーマパーク等の施設内には、第１の撮影部１としての複数台のカメラ２−１〜２−ｎが設置されている。これらカメラ２−１〜２−ｎは、それぞれ施設内に入場している被写体である入場者を撮影する。  
テーマパーク等の施設の出口には、画像提供部３が設置されている。この画像提供部３は、施設から退場する被写体に対して各カメラ２−１〜２−ｎの撮影により取得された各画像データ（以下、撮影画像データと称する）を施設から退場する被写体に提供するもので、パーソナルコンピュータ４と、第２の撮影部としてのカメラ５と、課金受付機としての現金投入機６と、プリンタ７とを有する。
【００１０】
又、テーマパーク等の施設内には、第１の画像保存部としての施設内サーバ８が設置されている。この施設内サーバ８は、各カメラ２−１〜２−ｎの撮影により取得された各画像データを保存する。  
これらカメラ２−１〜２−ｎとパーソナルコンピュータ４と施設内サーバ８とは、互いにローカルエリアネットワーク（ＬＡＮ）９を介して接続され、互いに撮影画像データ等の各種データを送受信可能になっている。
【００１１】
具体的に説明すると、複数台のカメラ２−１〜２−ｎは、それぞれ施設内の入場者の特定部位、例えば顔部位を検出して当該顔部位を含む入場者の撮影を自動的に行い、これと同時に当該撮影により取得された撮影画像データから顔部位の第１の特徴情報を抽出する。この場合、カメラ２−１〜２−ｎは、それぞれ入場者の撮影（本撮影）を行うのに先立ち、前撮影として顔部位の検出のための簡易撮影を行う。又、顔部位の第１の特徴情報の抽出は、公知の技術である顔特徴抽出技術、例えばグラフマッチングとガボールウェーブレット等との組み合わせの技術を用いて顔部位の特微を抽出し、この顔部位の特微を第１の特徴情報とする。複数台のカメラ２−１〜２−ｎは、それぞれ例えば予め設定された時間毎に簡易撮影を行ったり、ランダムな時間毎に簡易撮影を行う。
【００１２】
施設内サーバ８は、各カメラ２−１〜２−ｎからそれぞれ各撮影画像データと、これら撮影画像データに含む入場者の顔部位の第１の特徴情報とを受け取り、これら撮影画像データと第１の特徴情報とを関連付けて例えばメモリ、データベース等の第１の記憶装置８ａに保存する。図２は第１の記憶装置８ａに保存される撮影画像データのデータ構造を模式的に示す。施設内サーバ８は、ツリー構造により撮影画像データを第１の記憶装置８ａに保存するもので、第１の特徴情報である各顔特徴１０−１〜１０−ｍを親ノードとし、これら親ノードにそれぞれ例えば各撮影画像データ１１ａ−１〜１１ａ−３、１１ｂ−１〜１１ｂ−４を子ノードとして関連付けて保存する。又、親ノードである各顔特徴１０−１〜１０−ｍは、互いに兄弟ノードとして存在する。従って、例えば顔特徴１０−１に対して関連付けられている各撮影画像データ１１ａ−１〜１１ａ−３は、同一来場者の顔部位が撮影されている。
【００１３】
又、施設内サーバ８は、画像提供部３により照合された来場者の特定部位、例えば顔部位の第２の特徴情報をＬＡＮ９を通して受け取り、この顔部位の第２の特徴情報と第１の記憶装置８ａに保存されている各顔特徴１０−１〜１０−ｍとを照合し、顔部位の第２の特徴情報に一致する各顔特徴１０−１〜１０−ｍ、例えば顔特徴１０−１に関連付けられている各撮影画像データ１１ａ−１〜１１ａ−３を抽出し、これら撮影画像データ１１ａ−１〜１１ａ−３をＬＡＮ９を通して画像提供部３に返送する。
【００１４】
画像提供部３は、パーソナルコンピュータ４を有する。このパーソナルコンピュータ４は、ディスプレイ４ａを有し、かつＬＡＮ９に接続されている。このパーソナルコンピュータ４には、カメラ５と、現金投入機６と、プリンタ７とが接続されている。  
このうちカメラ５は、テーマパーク等の施設から退場しようとする来場者を撮影し、この撮影により取得された撮影画像データから顔部位の第２の特徴情報を抽出する。この顔部位の第２の特徴情報の抽出は、上記同様に、公知の技術である顔特徴抽出技術、例えばグラフマッチングとガボールウェーブレット等との組み合わせの技術を用いて顔部位の特微を抽出し、これを第２の特徴情報にする。なお、かかる顔部位の第２の特徴情報は、同一来場者を撮影して取得された撮影画像データであれば、上記第１の特徴情報と同一となる。
【００１５】
現金投入機６は、施設内の各カメラ２−１〜２−ｎの撮影により取得された各撮影画像データの印刷出力された写真の提供を受けるために来場者からの現金の投入を受けてその金額の精算を行う。プリンタ７は、撮影画像データを例えば写真印刷用紙等の記録媒体に印刷を行う。
【００１６】
パーソナルコンピュータ４は、カメラ５から施設から退場しようとする来場者の第２の特徴情報を受け取り、この第２の特徴情報をＬＡＮ９を通して施設内サーバ８に送信する。そして、パーソナルコンピュータ４は、施設内サーバ８からＬＡＮ９を通して返送されてくる第２の特徴情報に関連する撮影画像データ、例えば各撮影画像データ１１ａ−１〜１１ａ−３を受け取り、これら撮影画像データ１１ａ−１〜１１ａ−３をプリンタ７によって印刷出力する。  
この場合、パーソナルコンピュータ４は、施設内サーバ８から返送された例えば各撮影画像データ１１ａ−１〜１１ａ−３を縮小し、これら縮小撮影画像データ１１ａ−１〜１１ａ−３をディスプレイ４ａに一覧表示する。パーソナルコンピュータ４は、現金投入機６において金額の精算が行われると、各撮影画像データ１１ａ−１〜１１ａ−３をプリンタ７によって印刷出力する。
【００１７】
次に、上記の如く構成された施設内フォトシステムによる来場者に対する写真の提供の動作について説明する。  
先ず、各カメラ２−１〜２−ｎは、図３に示す撮影フローチャートに従って撮影動作を行う。各カメラ２−１〜２−ｎは、ステップＳ１１において、それぞれ来場者の顔部位の検出を実施するための簡易画像を取得するための撮影を行う。  
次に、各カメラ２−１〜２−ｎは、ステップＳ１２において、それぞれ簡易画像データに対して公知の技術である顔特徴抽出技術、例えばグラフマッチングとガボールウェーブレット等との組み合わせの技術を用いて顔部位の特微を抽出し、簡易画像データ中に来場者を含んでいるか否かを判断する。
【００１８】
この判断の結果、簡易画像データ中に来場者が含まれていなければ、各カメラ２−１〜２−ｎは、ステップＳ１６に移り、撮影を終了する。  
一方、上記判断の結果、簡易画像データ中に来場者が含まれていれば、各カメラ２−１〜２−ｎは、ステップＳ１３に移り、来場者を対象とする撮影（本撮影）を自動的に行う。  
次に、各カメラ２−１〜２−ｎは、ステップＳ１４において、来場者を対象とする撮影（本撮影）により取得された撮影画像データに対して上記同様に顔特徴抽出技術、例えばグラフマッチングとガボールウェーブレット等との組み合わせの技術を用いて顔部位の特微を抽出し、これを第１の特徴情報とする。  
次に、各カメラ２−１〜２−ｎは、ステップＳ１５において、撮影（本撮影）により取得された撮影画像データと、この撮影画像データ中の顔部位の第１の特徴情報をＬＡＮ９を通して施設内サーバ８に送信する。
【００１９】
次に、施設内サーバ８は、図４に示す画像保存フローチャートに従い、ステップＳ２１において、ＬＡＮ９を通して各カメラ２−１〜２−ｎから送信された撮影画像データと顔部位の第１の特徴情報とを受信する。  
次に、施設内サーバ８は、ステップＳ２２において、第１の記憶装置８ａに既に保存されている複数の顔特徴１０−１〜１０−ｍと各カメラ２−１〜２−ｎから送信されてきた第１の特徴情報とを比較し、各カメラ２−１〜２−ｎから送信されてきた第１の特徴情報が第１の記憶装置８ａに既に保存されている複数の顔特徴１０−１〜１０−ｍ中にあるか否かを検索する。
【００２０】
この検索の結果、各カメラ２−１〜２−ｎから送信されてきた第１の特徴情報が第１の記憶装置８ａに既に保存されている複数の顔特徴１０−１〜１０−ｍ中にあれば、施設内サーバ８は、ステップＳ２３に移り、各カメラ２−１〜２−ｎから送信されてきた第１の特徴情報に一致する顔特徴、例えば図２に示す顔特徴１０−１に関連付けて、すなわち顔特徴１０−１の子ノードとして各カメラ２−１〜２−ｎから送信されてきた撮影画像データを第１の記憶装置８ａに保存（登録）する。
【００２１】
一方、各カメラ２−１〜２−ｎから送信されてきた第１の特徴情報が第１の記憶装置８ａになければ、施設内サーバ８は、ステップＳ２２ａに移り、複数の顔特徴１０−１〜１０−ｍの兄弟ノードとなる第１の特徴情報の新たな顔特徴のノードを作成する。  
次に、施設内サーバ８は、ステップＳ２３ａにおいて、新たな顔特徴のノードを親ノードとし、この顔特徴のノードの子ノードとして各カメラ２−１〜２−ｎから送信されてきた撮影画像データを第１の記憶装置８ａに保存する。
【００２２】
次に、テーマパーク等の施設の出口から来場者が退場しようとすると、カメラ５は、図５に示す出口写真提供フローチャートに従い、ステップＳ３１において、テーマパーク等の施設から退場しようとする来場者を撮影し、この撮影により取得された撮影画像データから顔部位の第２の特徴情報を抽出する。この顔部位の第２の特徴情報の抽出は、上記同様に、公知の技術である顔特徴抽出技術、例えばグラフマッチングとガボールウェーブレット等との組み合わせの技術を用いて顔部位の特微を抽出し、この顔部位の特微を第２の特徴情報にする。  
次に、パーソナルコンピュータ４は、ステップＳ３２において、カメラ５から施設から退場しようとする来場者の顔部位の第２の特徴情報を受け取り、この第２の特徴情報をＬＡＮ９を通して施設内サーバ８に送信する。
【００２３】
この施設内サーバ８は、図６に示すサーバ画像送信フローチャートに従い、ステップＳ４１において、ＬＡＮ９を通してパーソナルコンピュータ４から送信された来場者の顔部位の第２の特徴情報を受信する。  
次に、施設内サーバ８は、ステップＳ４２において、第１の記憶装置８ａに既に保存されている複数の顔特徴１０−１〜１０−ｍとパーソナルコンピュータ４から送信された来場者の顔部位の第２の特徴情報とを比較し、パーソナルコンピュータ４から送信された来場者の顔部位の第２の特徴情報が第１の記憶装置８ａに既に保存されている複数の顔特徴１０−１〜１０−ｍ中にあるか否かを検索する。
【００２４】
この検索の結果、パーソナルコンピュータ４から送信された来場者の顔部位の第２の特徴情報が第１の記憶装置８ａに既に保存されている複数の顔特徴１０−１〜１０−ｍ中にあれば、施設内サーバ８は、ステップＳ４３に移り、パーソナルコンピュータ４から送信された来場者の顔部位の第２の特徴情報に一致する顔特徴、例えば図２に示す顔特徴１０−１に関連付けて保存されている撮影画像データ、すなわち顔特徴１０−１の子ノードである各撮影画像データ１１ａ−１〜１１ａ−３を第１の記憶装置８ａから読み出し、これら撮影画像データ１１ａ−１〜１１ａ−３をＬＡＮ９を通してパーソナルコンピュータ４に返送する。  
なお、検索の結果、パーソナルコンピュータ４から送信された来場者の顔部位の第２の特徴情報が第１の記憶装置８ａに既に保存されている複数の顔特徴１０−１〜１０−ｍ中になければ、施設内サーバ８は、ステップＳ３４２ａに移り、エラー情報をＬＡＮ９を通してパーソナルコンピュータ４に返送する。
【００２５】
パーソナルコンピュータ４は、上記ステップＳ３２において、来場者の顔部位の第２の特徴情報を送信した後、ステップＳ３３において、施設内サーバ８から撮影画像データ又はエラー情報のいずれか一方を受信するかの待機状態にあり、かつ撮影画像データ又はエラー情報のいずれか一方を受信したのかを判断する。  
この判断の結果、施設内サーバ８から例えば各撮影画像データ１１ａ−１〜１１ａ−３を受信すると、パーソナルコンピュータ４は、ステップＳ３４において、受信した各撮影画像データ１１ａ−１〜１１ａ−３をそれぞれ縮小し、これら縮小撮影画像データ１１ａ−１〜１１ａ−３をディスプレイ４ａに一覧表示する。
【００２６】
次に、パーソナルコンピュータ４は、ステップＳ３５において、来場者がディスプレイ４ａに一覧表示されている各縮小撮影画像データ１１ａ−１〜１１ａ−３の写真の提供を受けるために、現金投入機６に来場者から現金の投入をしたか否かを判断する。  
この判断の結果、来場者が現金投入機６に現金を投入すると、この現金投入機６は、現金投入機６は、来場者からの現金の投入を受けてその金額の精算を行う。そして、パーソナルコンピュータ４は、ステップＳ３６において、現金投入機６において金額の精算が行われたことを判断すると、各撮影画像データ１１ａ−１〜１１ａ−３をプリンタ７によって印刷出力する。これにより、プリンタ７によって印刷出力された各撮影画像データ１１ａ−１〜１１ａ−３の各写真が来場者に提供される。
【００２７】
このように上記第１の実施の形態によれば、テーマパーク等の施設内の複数台のカメラ２−１〜２−ｎによって撮影を行ってその撮影画像データから顔部位の第１の特徴情報を抽出し、これら撮影画像データと顔部位の第１の特徴情報とを施設内サーバ８の第１の記憶装置８ａに保存し、施設の出口において、施設から退場しようとする来場者をカメラ５によって撮影してその撮影画像データから顔部位の第２の特徴情報を抽出し、パーソナルコンピュータ４によって第２の特徴情報をＬＡＮ９を通して施設内サーバ８に送信し、施設内サーバ８からＬＡＮ９を通して返送されてくる第２の特徴情報に関連する例えば各撮影画像データ１１ａ−１〜１１ａ−３を受け取り、これら撮影画像データ１１ａ−１〜１１ａ−３をプリンタ７によって印刷出力する。これにより、テーマパーク等の施設への入場者は、リストバンドを装着しなくても施設内において撮影を希望する入場者を対象として自動的に撮影を行い、その撮影画像を印刷出力してその写真を入場者に提供できる。
【００２８】
各カメラ２−１〜２−ｎは、入場者の撮影（本撮影）に先立ち、前撮影として顔部位の検出のための簡易撮影を任意の時間毎に行うので、リストバンドを装着した来場者を検出するための機能を備えなくてもよい。そして、簡易撮影により入場者の顔部位の特微を抽出すると、入場者の撮影（本撮影）を行ってその撮影画像データと顔部位の第１の特徴情報とを関連付けて第１の記憶装置８ａに保存するので、入場者の撮影画像データと顔部位の第１の特徴情報とを自動的に保存（登録）できる。  
又、施設の出口から退場しようとする来場者の顔部位の第２の特徴情報に基づいて施設内サーバ８から該当する例えば各撮影画像データ１１ａ−１〜１１ａ−３を抽出して印刷出力するので、施設の出口での入場者への写真の提供も自動的に提供できる。
【００２９】
パーソナルコンピュータ４のディスプレイ４ａに来場者が撮影されている全ての撮影画像データ１１ａ−１〜１１ａ−３を一覧表示するので、来場者は、自身が撮影されているか否かを確認して印刷出力することができる。なお、来場者自身が撮影されていなければ、その撮影画像データの印刷出力を中止することは可能である。
【００３０】
次に、本発明の第２の実施の形態について図面を参照して説明する。なお、図１及び図２と同一部分には同一符号を付してその詳しい説明は省略する。  
図７はテーマパーク等の施設内フォトシステムの構成図を示す。この施設内フォトシステムは、施設外フォト抽出システム２０を備える。この施設外フォト抽出システム２０は、テーマパーク等の施設外に設けられ、テーマパーク等の施設の入場者に係る撮影画像データを施設内サーバ８から抽出し、この抽出された撮影画像データを例えばテーマパーク等の施設への入場者の自宅等に設けられている端末装置としてのパーソナルコンピュータ（以下、家庭用パーソナルコンピュータと称する）２１に提供するための施設外画像提供部として機能する。
【００３１】
この施設外フォト抽出システム２０は、第２の画像保存部としての外部サーバ２２を備える。この外部サーバ２２は、テーマパーク等の施設内のＬＡＮ９に接続され、このＬＡＮ９を通して施設内フォトシステムの各カメラ２−１〜２−ｎと、パーソナルコンピュータ４と、施設内サーバ８との間で互いに撮影画像データ等の各種データを送受信可能になっている。  
この外部サーバ２２は、施設内フォトシステムのパーソナルコンピュータ４から送られてくる入場者の顔部位の第２の特徴情報を受け取ると、この第２の特徴情報に対応する個人認識情報、例えばパスワードとＩＤとから成る個人認識情報を作成してパーソナルコンピュータ４に返送する。  
外部サーバ２２は、施設内サーバ８から各撮影画像データと、これら撮影画像データに含む入場者の顔部位の第１の特徴情報とを受け取り、これら撮影画像データと第１の特徴情報とを関連付けて例えばメモリ、データベース等の第２の記憶装置２２ａに保存する。  
図８は第２の記憶装置２２ａに保存される撮影画像データのデータ構造を模式的に示す。外部サーバ２２は、ツリー構造により撮影画像データを第２の記憶装置２２ａに保存するもので、第１の特徴情報に対応する各個人認識情報（パスワード及びＩＤ）２３−１〜２３−ｊを親ノードとし、これら親ノードにそれぞれ例えば各撮影画像データ２４ａ−１〜２４ａ−３、２４ｂ−１〜２４ｂ−４を子ノードとして関連付けて保存する。又、親ノードである各個人認識情報（パスワード及びＩＤ）２３−１〜２３−ｊは、互いに兄弟ノードとして存在する。従って、例えば個人認識情報（パスワード及びＩＤ）２３−１に対して関連付けられている各撮影画像データ２４ａ−１〜２４ａ−３は、同一来場者の顔部位が撮影されている。
【００３２】
又、外部サーバ２２は、家庭用パーソナルコンピュータ２１から個人認識情報（パスワード及びＩＤ）を受けると、この個人認識情報（パスワード及びＩＤ）に対応する各撮影画像データ２４ａ−１〜２４ａ−３を第２の記憶装置２２ａから抽出し、これら撮影画像データ２４ａ−１〜２４ａ−３を縮小した各縮小撮影画像データ２４ａ−１〜２４ａ−３を家庭用パーソナルコンピュータ２１に返送する。
【００３３】
家庭用パーソナルコンピュータ２１は、テーマパーク等の施設外の外部回線、いわゆる公衆回線２５を介して外部サーバ２２に接続されている。この家庭用パーソナルコンピュータ２１は、ディスプレイ２１ａを有する。この家庭用パーソナルコンピュータ２１は、例えばクレジット情報等の課金情報を受けると共に、例えばテーマパーク等の施設を来場したことのある個人認識情報（パスワード及びＩＤ）を受けると、この個人認識情報（パスワード及びＩＤ）に基づいて外部サーバ２２に保存されている各撮影画像データ２４ａ−１〜２４ａ−３を抽出する。
【００３４】
次に、上記の如く構成された施設外フォト抽出システム２０を備えた施設内フォトシステムによる来場者に対する写真の提供の動作について説明する。  
先ず、各カメラ２−１〜２−ｎは、上記図３に示す撮影フローチャートに示すのと同様に、テーマパーク等の施設内において各カメラ２−１〜２−ｎにより来場者を自動的に撮影し、この撮影により取得された撮影画像データに対して顔部位の特微を抽出して第１の特徴情報とし、撮影画像データと第１の特徴情報とをＬＡＮ９を通して施設内サーバ８に送信する。これらカメラ２−１〜２−ｎの撮影の動作は、上記第１の実施の形態と同様であるのでその詳細な説明は省略する。
【００３５】
次に、施設内サーバ８は、上記図４に示す画像保存フローチャートに示すのと同様に、各カメラ２−１〜２−ｎから送信されてきた第１の特徴情報が施設内サーバ８の第１の記憶装置８ａに既に保存されている複数の顔特徴１０−１〜１０−ｍ中にあるか否かを検索し、この検索の結果、各カメラ２−１〜２−ｎから送信されてきた第１の特徴情報が第１の記憶装置８ａに既に保存されている複数の顔特徴１０−１〜１０−ｍ中にあれば、各カメラ２−１〜２−ｎから送信されてきた第１の特徴情報に一致する顔特徴に関連付けて撮影画像データを第１の記憶装置８ａに保存（登録）し、一方、第１の特徴情報が第１の記憶装置８ａになければ、新たな顔特徴のノードを作成し、この新たな顔特徴に関連付けて撮影画像データを第１の記憶装置８ａに保存（登録）する。このような画像データ保存の動作も上記第１の実施の形態と同様であるのでその詳細な説明は省略する。  
次に、カメラ５は、図９に示す個人認識情報の提供フローチャートに従い、ステップＳ１０１において、テーマパーク等の施設の出口から退場しようとする来場者を撮影し、この撮影により取得された撮影画像データから顔部位の第２の特徴情報を抽出する。この顔部位の第２の特徴情報の抽出は、上記同様に、公知の技術である顔特徴抽出技術、例えばグラフマッチングとガボールウェーブレット等との組み合わせの技術を用いて顔部位の特微を抽出し、この顔部位の特微を第２の特徴情報とする。  
次に、パーソナルコンピュータ４は、カメラ５から施設から退場しようとする来場者の顔部位の第２の特徴情報を受け取り、この第２の特徴情報をＬＡＮ９を通して外部サーバ２２に送信する。
【００３６】
一方、外部サーバ２２は、図１０に示す外部サーバの動作フローチャートに従い、ステップＳ１１１において、パーソナルコンピュータ４から送信されてきた来場者の顔部位の第２の特徴情報を受信する。  
次に、外部サーバ２２は、ステップＳ１１２において、受信した来場者の顔部位の第２の特徴情報を施設内サーバ８に送信し、当該来場者の顔部位の第２の特徴情報に対応する撮影画像データが施設内サーバ８に保存されているか否かを問い合わせる。
【００３７】
この施設内サーバ８は、外部サーバ２２からの問い合わせに対して来場者の顔部位の第２の特徴情報に対応する撮影画像データが保存されていれば、当該撮影画像データを外部サーバ２２に返送する。当該撮影画像データが保存されていなければ、施設内サーバ８は、外部サーバ２２に対してエラー情報を返送する。
【００３８】
外部サーバ２２は、ステップＳ１１３において、施設内サーバ８から返送されたのが撮影画像データであるのか否かを判断する。この判断の結果、撮影画像データを受信すると、外部サーバ２２は、ステップＳ１１４に移り、パーソナルコンピュータ４から送信されてきた来場者の顔部位の第２の特徴情報が第２の記憶層装置２２ａに以前から保存されている例えば図８に示すような個人認識情報（パスワード及びＩＤ）２３−１〜２３−ｊに一致するか否かを判断する。なお、外部サーバ２２は、撮影画像データを受信せず、エラー情報を受信すると、ステップＳ１１３ａに移ってエラー情報をパーソナルコンピュータ４に送信して終了する。
【００３９】
上記判断の結果、来場者の顔部位の第２の特徴情報が以前から保存されている個人認識情報（パスワード及びＩＤ）２３−１〜２３−ｊ、例えば図８に示す個人認識情報（パスワード及びＩＤ）２３−１のノードに一致すれば、外部サーバ２２は、ステップＳ１１６に移り、個人認識情報（パスワード及びＩＤ）２３−１の子ノードとして施設内サーバ８から送信されてきた撮影画像データを第２の記憶装置２２ａに保存（登録）する。  
次に、外部サーバ２２は、ステップＳ１１７において、第２の記憶装置２２ａに保存した親ノードの個人認識情報（パスワード及びＩＤ）２３−１をパーソナルコンピュータ４に送信する。
【００４０】
一方、パーソナルコンピュータ４から送信されてきた第２の特徴情報が第２の記憶装置２２ａに保存されていなければ、外部サーバ２２は、ステップＳ１１５に移り、複数の個人認識情報（パスワード及びＩＤ）２３−１〜２３−ｊの兄弟ノードとなる新たな個人認識情報（パスワード及びＩＤ）のノードを作成する。  
次に、外部サーバ２２は、ステップＳ１１６において、新たな顔特徴のノードを親ノードとし、この顔特徴のノードの子ノードとして施設内サーバ８から送信されてきた撮影画像データを第２の記憶装置２２ａに保存（登録）する。  
次に、外部サーバ２２は、ステップＳ１１７において、第２の記憶装置２２ａに保存した新たな親ノードの個人認識情報（パスワード及びＩＤ）をパーソナルコンピュータ４に送信する。
【００４１】
次に、パーソナルコンピュータ４は、上記ステップＳ１０１において、第２の特徴情報を外部サーバ２２に送信した後、ステップＳ１０２において、外部サーバ２２から個人認識情報（パスワード及びＩＤ）を受信したか否かを判断する。なお、パーソナルコンピュータ４は、外部サーバ２２から個人認識情報（パスワード及びＩＤ）を受信せずに、エラー情報を受信すると、ステップＳ１０２ａに移り、当該エラー情報をディスプレイ４ａに表示する。そして、パーソナルコンピュータ４は、パスワード及びＩＤの印刷出力を取り止める。
【００４２】
上記判断の結果、個人認識情報（パスワード及びＩＤ）を受信すると、パーソナルコンピュータ４は、ステップＳ１０３において、外部サーバ２２から送信されてきた個人認識情報（パスワード及びＩＤ）をプリンタ７によって印刷出力する。これにより、プリンタ７によって印刷出力されたパスワードとＩＤとは、施設から退場しようとする来場者に提供される。
【００４３】
この後、施設から退場した来場者は、例えば自宅において、家庭用パーソナルコンピュータ２１を用いて撮影画像データの提供を受けることができる。すなわち、家庭用パーソナルコンピュータ２１は、図１１に示す家庭用パーソナルコンピュータ２１の動作フローチャートに従い、ステップＳ１２１において、施設から退場しようとしたときに提供された個人認識情報（パスワード及びＩＤ）の入力操作を受けると、この個人認識情報（パスワード及びＩＤ）を公衆回線２５を通して外部サーバ２２に送信する。
【００４４】
一方、外部サーバ２２は、図１２に示す家庭用パーソナルコンピュータと外部サーバとの動作フローチャートに従い、ステップＳ１３１において、家庭用パーソナルコンピュータ２１からの個人認識情報（パスワード及びＩＤ）を公衆回線２５を通して受信し、次のステップＳ１３２において、当該個人認識情報（パスワード及びＩＤ）に対応する撮影画像データが第２の記憶装置２２ａに保存されているか否かをチェックする。
【００４５】
このチェックの結果、個人認識情報（パスワード及びＩＤ）に対応する撮影画像データが第２の記憶装置２２ａに保存されていれば、外部サーバ２２は、ステップＳ１３３に移り、例えば図８に示すような個人認識情報（パスワード及びＩＤ）２３−１に対応する各撮影画像データ２４ａ−１〜２４ａ−３を読み出し、これら撮影画像データ２４ａ−１〜２４ａ−３を縮小し、公衆回線２５を通して家庭用パーソナルコンピュータ２１に送信する。なお、個人認識情報（パスワード及びＩＤ）に対応する撮影画像データが第２の記憶装置２２ａに保存されていれば、外部サーバ２２は、ステップＳ１３３ａに移り、エラー情報を家庭用パーソナルコンピュータ２１に送信する。
【００４６】
再び、家庭用パーソナルコンピュータ２１は、上記ステップＳ１２１において、個人認識情報（パスワード及びＩＤ）を送信した後、ステップＳ１２２において、外部サーバ２２から縮小撮影画像データ２４ａ−１〜２４ａ−３又はエラー情報のいずれか一方を受信するかの待機状態にあり、かつ撮影画像データ又はエラー情報のいずれか一方を受信したのかを判断する。  
この判断の結果、外部サーバ２２から各縮小撮影画像データ２４ａ−１〜２４ａ−３を受信すると、家庭用パーソナルコンピュータ２１は、ステップＳ１２３において、受信した各縮小撮影画像データ２４ａ−１〜２４ａ−３をそれぞれディスプレイ２１ａに一覧表示する。なお、エラー情報を受信すると、家庭用パーソナルコンピュータ２１は、ステップＳ１２２ａにおいて、エラー情報をディスプレイ２１ａに表示する。
【００４７】
次に、家庭用パーソナルコンピュータ２１は、ステップＳ１２４において、ディスプレイ２１ａに一覧表示されている各縮小撮影画像データ２４ａ−１〜２４ａ−３の写真の提供を受けるために、例えばクレジット情報を公衆回線２５を通して外部サーバ２２に送信したか否かを判断する。  
この判断の結果、クレジット情報を送信すると、家庭用パーソナルコンピュータ２１は、ステップＳ１２５に移り、外部サーバ２２からの撮影画像データ２４ａ−１〜２４ａ−３の受信待ちとなる。なお、クレジット情報を送信しなければ、終了となる。
【００４８】
再び、外部サーバ２２は、上記図１２に示すステップＳ１３４において、家庭用パーソナルコンピュータ２１からクレジット情報を受信すると、ステップＳ１３５に移り、縮小していない撮影画像データ２４ａ−１〜２４ａ−３を家庭用パーソナルコンピュータ２１に送信する。  
しかるに、家庭用パーソナルコンピュータ２１は、図１１に示すステップＳ１２５において、外部サーバ２２からの縮小していない撮影画像データ２４ａ−１〜２４ａ−３を公衆回線２５を通して受信する。
【００４９】
このように上記第２の実施の形態によれば、テーマパーク等の施設外に設けられ、テーマパーク等の施設の入場者に係る撮影画像データを施設内サーバ８から抽出して外部サーバ２２に保存し、この外部サーバ２２から例えばテーマパーク等の施設への入場者の自宅等に設けられている家庭用パーソナルコンピュータ２１によって撮影画像データを読み出すようにしたので、上記第１の実施の形態と同様の効果を奏することができるのに加えて、テーマパーク等の施設の出口で提供されたパスワードとＩＤとから成る個人認識情報を家庭用パーソナルコンピュータ２１から入力することによって例えば自宅において撮影画像データ２４ａ−１〜２４ａ−３の提供を受けることができる。
【００５０】
又、外部サーバ２２は、図８に示すように各個人認識情報２３−１〜２３−ｊに関連付けて各撮影画像データ２４ａ−１〜２４ａ−３、２４ｂ−１〜２４ｂ−４を保存するので、今回テーマパーク等の施設に入場したときに撮影された撮影画像データに限らず、以前にテーマパーク等の施設に入場したときに撮影された全ての撮影画像データも同一の個人認識情報２３−１〜２３−ｊに関連付けて保存することができる。従って、家庭用パーソナルコンピュータ２１に各個人認識情報２３−１〜２３−ｊのパスワードとＩＤとを入力するだけで、今回テーマパーク等の施設に入場したときに撮影された撮影画像データに限らず、以前にテーマパーク等の施設に入場したときに撮影された全ての撮影画像データの提供を受けることができる。
【００５１】
家庭用パーソナルコンピュータ２１のディスプレイ２１ａにテーマパーク等の施設への入場経験者が撮影されている全ての撮影画像データ２４ａ−１〜２４ａ−３等を一覧表示するので、入場経験者は、自身が撮影されているか否かを確認して印刷出力することができる。なお、来場者自身が撮影されていなければ、その撮影画像データの印刷出力を中止することは可能である。
【００５２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５３】
【図１】本発明に係る施設内フォトシステムの第１の実施の形態を示す構成図。
【図２】同システムにおける第１の画像保存部に保存される撮影画像データのデータ構造を示す模式図。
【図３】同システムにおける撮影フローチャート。
【図４】同システムにおける画像保存フローチャート。
【図５】同システムにおける出口写真提供フローチャート。
【図６】同システムにおけるサーバ画像送信フローチャート。
【図７】本発明に係る施設内フォトシステムに施設外フォト抽出システムを備えた第２の実施の形態を示す構成図。
【図８】同システムにおける第２の記憶装置に保存される撮影画像データのデータ構造を示す模式図。
【図９】同システムにおける個人認識情報の提供フローチャート。
【図１０】同システムにおける外部サーバの動作フローチャート。
【図１１】同システムにおける家庭用パーソナルコンピュータの動作フローチャート。
【図１２】同システムにおける家庭用パーソナルコンピュータと外部サーバとの動作フローチャート。
【符号の説明】
【００５４】
１：第１の撮影部、２−１〜２−ｎ：カメラ、３：画像提供部、４：パーソナルコンピュータ、４ａ：ディスプレイ、５：カメラ、６：現金投入機、７：プリンタ、８：施設内サーバ、９：ローカルエリアネットワーク（ＬＡＮ）、８ａ：第１の記憶装置、１０−１〜１０−ｍ：顔特徴、１１ａ−１〜１１ａ−３，１１ｂ−１〜１１ｂ−４：撮影画像データ、２０：施設外フォト抽出システム、２１：家庭用パーソナルコンピュータ、２１ａ：ディスプレイ、２２：外部サーバ、２２ａ：第２の記憶装置、２３−１〜２３−ｊ：個人認識情報、２４ａ−１〜２４ａ−３，２４ｂ−１〜２４ｂ−４：撮影画像データ、２５：公衆回線。
【図１】
2009278534.tif 000003
【図２】
2009278534.tif 000004
【図３】
2009278534.tif 000005
【図４】
2009278534.tif 000006
【図５】
2009278534.tif 000007
【図６】
2009278534.tif 000008
【図７】
2009278534.tif 000009
【図８】
2009278534.tif 000010
【図９】
2009278534.tif 000011
【図１０】
2009278534.tif 000012
【図１１】
2009278534.tif 000013
【図１２】
2009278534.tif 000014